(57)【要約】【課題】  即日発行及び後日発行の申請者が混在していたとしても、自動的に各申請者に適したカード作成タイミングを割り当てることで、オペレータの負担を軽減する。【解決手段】  このＩＤカード作成システムには、対象者を撮影する撮影装置と、対象者のカード作成タイミングが即日であるか否かを判定する判定装置と、判定装置による判定内容及び撮影装置により得られた画像データを対応付けて管理する管理装置とを備えている。【選択図】図１
2007076159.tif 000002
【特許請求の範囲】
【請求項１】
対象者を撮影する撮影装置と、
前記対象者のカード作成タイミングが即日であるか否かを判定する判定装置と、
前記判定装置による判定内容及び前記撮影装置により得られた画像データを対応付けて管理する管理装置とを備えていることを特徴とするＩＤカード作成システム。
【請求項２】
請求項１記載のＩＤカード作成システムにおいて、
前記管理装置の制御によって前記画像データを基に前記対象者のカードを作成するカード作成装置を備え、
前記管理装置は、前記判定内容に基づいて前記カード作成装置を制御し、前記カード作成タイミングが即日と判定された前記画像データに基づく前記カードのみを作成させることを特徴とするＩＤカード作成システム。
【請求項３】
請求項１又は２記載のＩＤカード作成システムにおいて、
前記管理装置の制御によって前記画像データを可般型の記憶媒体に記憶させる可般型用記憶装置を備え、
前記管理装置は、前記判定内容に基づいて前記可般型用記憶装置を制御し、前記カード作成タイミングが即日と判定されていない画像データのみ前記記憶媒体に記憶させることを特徴とするＩＤカード作成システム。
【請求項４】
請求項１〜３のいずれか１項に記載のＩＤカード作成システムにおいて、
前記対象者毎の識別情報及び当該識別情報に対応付けられた前記対象者の個人情報を記憶する個人情報記憶装置と、
前記識別情報が入力される入力装置とを備え、
前記判定装置は、前記入力装置に入力された前記識別情報を基に、前記個人情報記憶装置に記憶される前記個人情報を読み出して、前記カード作成タイミングを判定することを特徴とするＩＤカード作成システム。
【請求項５】
対象者のカード作成タイミングが即日であるか否かを判定する判定装置による判定内容と、前記対象者を撮影する撮影装置により得られた画像データとを対応付けて管理することを特徴とするＩＤカード作成方法。
【請求項６】
請求項５記載のＩＤカード作成方法において、
前記カード作成タイミングが即日と判定された前記画像データに基づく前記カードのみを、前記画像データを基に前記対象者のカードを作成するカード作成装置によって作成することを特徴とするＩＤカード作成方法。
【請求項７】
請求項５又は６記載のＩＤカード作成方法において、
前記カード作成タイミングが即日と判定されていない画像データのみを、可般型の記憶媒体に記憶させることを特徴とするＩＤカード作成方法。
【請求項８】
請求項５〜７のいずれか１項に記載のＩＤカード作成方法において、
前記対象者毎の識別情報及び当該識別情報に対応付けられた前記対象者の個人情報を記憶する個人情報記憶装置から、前記識別情報が入力される入力装置の入力内容を基にして前記個人情報を読み出し、前記カード作成タイミングを判定することを特徴とするＩＤカード作成方法。
【発明の詳細な説明】
【技術分野】
【０００１】
本発明は、ＩＤカード作成システム及びＩＤカード作成方法に係り、特に、即日発行のＩＤカードと、後日発行のＩＤカードとを作成するＩＤカード作成システム及びＩＤカード作成方法に関する。
【背景技術】
【０００２】
自動車免許証等のＩＤカードを作成するためのＩＤカード作成システムにおいては、対象者を撮影する撮影装置と、対象者の個人情報を格納するサーバと、撮影装置により得られた撮影データ及びサーバ内の個人情報を基にしてＩＤカードを作成するカード作成装置とが備えられている。ここで、撮影装置及びカード作成装置の設置箇所が地理的に離れていて、さらに撮影装置及びカード作成装置がオフライン状態である場合には、撮影データを可般メディアに記憶して、カード作成装置の設置場所まで搬送することで、カード作成を可能としていた（例えば特許文献１参照）。
近年、通信環境の整備により撮影箇所でもカード作成装置が設置される場合も増加している。これにより、当該箇所であれば撮影及びカード作成が随時行えるようになっている。
【特許文献１】特開２００３−３２６１５号公報
【発明の開示】
【発明が解決しようとする課題】
【０００３】
ところで、自動車免許証の更新時においては、例えば違反者講習の必要な後日発行の申請者と、即日発行の申請者とが混在しているが、即日発行の免許証は撮影当日に作成されるものの、後日発行の免許証であると講習後に作成されなければならない。このため、撮影後にはオペレータが申請者毎の後日発行若しくは即日発行に基づいてカード作成を割り振らなければならず、オペレータにとっては負担となっていた。
【０００４】
本発明の課題は、即日発行及び後日発行の申請者が混在していたとしても、自動的に各申請者に適したカード作成タイミングを割り当てることで、オペレータの負担を軽減することである。
【課題を解決するための手段】
【０００５】
請求項１記載の発明におけるＩＤカード作成システムは、
対象者を撮影する撮影装置と、
前記対象者のカード作成タイミングが即日であるか否かを判定する判定装置と、
前記判定装置による判定内容及び前記撮影装置により得られた画像データを対応付けて管理する管理装置とを備えていることを特徴としている。
【０００６】
請求項２記載の発明は、請求項１記載のＩＤカード作成システムにおいて、
前記管理装置の制御によって前記画像データを基に前記対象者のカードを作成するカード作成装置を備え、
前記管理装置は、前記判定内容に基づいて前記カード作成装置を制御し、前記カード作成タイミングが即日と判定された前記画像データに基づく前記カードのみを作成させることを特徴としている。
【０００７】
請求項３記載の発明は、請求項１又は２記載のＩＤカード作成システムにおいて、
前記管理装置の制御によって前記画像データを可般型の記憶媒体に記憶させる可般型用記憶装置を備え、
前記管理装置は、前記判定内容に基づいて前記可般型用記憶装置を制御し、前記カード作成タイミングが即日と判定されていない画像データのみ前記記憶媒体に記憶させることを特徴としている。
【０００８】
請求項４記載の発明は、請求項１〜３のいずれか１項に記載のＩＤカード作成システムにおいて、
前記対象者毎の識別情報及び当該識別情報に対応付けられた前記対象者の個人情報を記憶する個人情報記憶装置と、
前記識別情報が入力される入力装置とを備え、
前記判定装置は、前記入力装置に入力された前記識別情報を基に、前記個人情報記憶装置に記憶される前記個人情報を読み出して、前記カード作成タイミングを判定することを特徴としている。
【０００９】
請求項５記載の発明におけるＩＤカード作成方法は、
対象者のカード作成タイミングが即日であるか否かを判定する判定装置による判定内容と、前記対象者を撮影する撮影装置により得られた画像データとを対応付けて管理することを特徴としている。
【００１０】
請求項６記載の発明は、請求項５記載のＩＤカード作成方法において、
前記カード作成タイミングが即日と判定された前記画像データに基づく前記カードのみを、前記画像データを基に前記対象者のカードを作成するカード作成装置によって作成することを特徴としている。
【００１１】
請求項７記載の発明は、請求項５又は６記載のＩＤカード作成方法において、
前記カード作成タイミングが即日と判定されていない画像データのみを、可般型の記憶媒体に記憶させることを特徴としている。
【００１２】
請求項８記載の発明は、請求項５〜７のいずれか１項に記載のＩＤカード作成方法において、
前記対象者毎の識別情報及び当該識別情報に対応付けられた前記対象者の個人情報を記憶する個人情報記憶装置から、前記識別情報が入力される入力装置の入力内容を基にして前記個人情報を読み出し、前記カード作成タイミングを判定することを特徴としている。
【発明の効果】
【００１３】
本発明によれば、判定装置による判定内容及び画像データが対応付けて管理されているので、管理装置は画像データに対応付けられた判定内容を読み出すことで、当該画像データに基づくカード作成タイミングを認識することができる。これにより、即日発行及び後日発行の申請者が混在していたとしても、管理装置によって自動的に各申請者に適したカード作成タイミングを割り当てることが可能となって、オペレータの負担を軽減することができる。
【００１４】
また、管理装置が判定内容に基づいてカード作成装置を制御することで、カード作成タイミングが即日と判定された画像データに基づくカードのみを作成させているので、カード作成タイミングに応じてカードを作成することができる。
【００１５】
さらに、管理装置が判定内容に基づいて可般型用記憶装置を制御することで、カード作成タイミングが即日と判定されていない画像データのみ可般型の記憶媒体に記憶させるので、後日発行の画像データのみを記憶媒体に記憶して搬送可能とすることができる。つまり、他所に設置されたカード作成装置によって後日発行のカードを作成することが可能となる。例えば、違反者講習の必要な申請者にとっては、その講習場所で再度撮影を行わなくとも、講習後にカードが発行されることになるので申請者に対するサービスを向上させることもできる。
【００１６】
そして、入力装置に入力された識別情報を基に、判定装置が個人情報記憶装置に記憶される個人情報を読み出して、カード作成タイミングを判定するので、個人情報に基づいて自動的にカード作成タイミングが判定されることになる。すなわち、オペレータがカード作成タイミングを入力しなくとも、判定が行われるので、オペレータに対する負担をより軽減することができる。
【発明を実施するための最良の形態】
【００１７】
以下、本実施形態におけるＩＤカード作成システムについて図を参照にしながら説明する。このＩＤカード作成システムは、例えば自動車運転免許証などの作成に用いられるものである。図１は、ＩＤカード作成システム１の概略構成を表すブロック図であり、この図１に示すように、ＩＤカード作成システム１には、対象者を撮影する撮影装置２と、撮影装置２により得られた画像データを記憶するハードディスクドライブ（画像データ用記憶装置）３と、画像データを基にしたＩＤカードの作成を指示するカード作成指示装置４と、カード作成指示装置４の指示に基づいてＩＤカードを作成するカード作成装置５と、対象者の識別情報及び個人情報を記憶するホストサーバ（個人情報記憶装置）６と、個人情報の暗号化コードを作成するチェックコード作成装置７と、対象者の個人情報及び画像データをファイリングするファイルサーバ８とが、通信回線Ｎを介して接続されて設けられている。
【００１８】
撮影装置２には、対象者の免許証を読み取るスキャナ２１と、対象者（申請者）を撮影するための撮影機２２が備えられている。この撮影装置２は、撮影機２２で申請者を撮影し画像データを得るとともに、スキャナ２１で取り込んだ免許証番号をＯＣＲにより文字データとして認識し、当該文字データと画像データとを対応付けした後にハードディスクドライブ３に出力するようになっている。免許証番号は各申請者毎に個別に付与された番号であるので、このスキャナ２１により得られた文字データが各個人を識別するための識別情報となる。つまり、スキャナ２１が本発明に係る入力装置である。
【００１９】
カード作成指示装置４には、各種操作を行うための操作部４１と、申請者のカード作成タイミングが即日であるか否かを判定する判定装置４２と、可般型の記憶媒体であるＭＯディスク４３に対して記憶及び読み込みを行う可般型用記憶装置としてのＭＯドライブ４４と、画像データを管理する管理装置４５とが備えられている。
【００２０】
操作部４１は、タッチパネルからなる例えば図２に示す表示部５０を有していて、オペレータが表示部５０を視認しながら種々の操作を行うようになっている。表示部５０には、撮影装置２によって各申請者の撮影が行われると各申請者の免許書番号が表示される免番リスト欄５１と、免番リスト欄５１中の免許書番号のうち、撮影後即日にＩＤカード作成が行われる免許書番号が表示される免番ボックス５２と、免番ボックス５２内の免許書番号の一括カード作成を指示するための一括作成ボタン５３と、免番ボックス５２内の免許書番号のうち、選択された１件のみのカード作成を指示するための１件作成ボタン５４と、ログアウトボタン５５と、削除ボタン５６とが設けられている。この一括作成ボタン５３や、１件作成ボタン５４がタッチされると、操作部４１は、カード作成装置５に対してカード作成指示を出力するようになっている。
【００２１】
判定装置４２は、ハードディスクドライブ３内の画像データに対応する文字データ若しくはＭＯドライブ４４から入力されたＭＯディスク４３内の画像データに対応する文字データを基にして、当該文字データの免許書番号に合致する申請者の個人情報をホストサーバ６から読み出す。ここで、個人情報には免許更新時に違反者講習が必要であるか否かが含まれているために、個人情報を読み出すと判定装置４２によって、申請者に対する違反者講習の有無が認識されるようになる。判定装置４２は、違反者講習が無であるものについてはカード作成タイミングが即日（即日発行）であると判定し、違反者講習が有であるものについてはカード作成タイミングが即日でない（後日発行）と判定するようになっている。
【００２２】
管理装置４５は、判定装置４２の判定内容と画像データとを対応付けて管理する。そして、管理装置４５は、操作部４１を制御して、判定内容が即日発行となった画像データの免許証番号のみを表示部５０の免番リスト欄５１に表示させるようになっている。これにより、操作部４１からは、即日発行の免許書番号のみのカード作成指示しかカード作成装置５に出力できないようになる。また、管理装置４５は、ＭＯドライブ４４を制御して、判定内容が後日発行となった画像データ及びその文字データを対応付けてＭＯディスク４３に記憶させるようになっている。
【００２３】
次に、本実施形態のＩＤカード作成装置により行われるＩＤカード作成方法について図４説明する。
【００２４】
まず、オペレータは、撮影前に、オペレータは申請者の更新前の免許証をスキャナ２１に読み取らせて、撮影装置２に免許書番号の文字データを取得させる（ステップＳ１）。その後、オペレータは、撮影装置２によって申請者の顔画像を撮影する（ステップＳ２）。撮影装置２は、撮影により得られた画像データと、免許書番号の文字データとを対応付けてハードディスクドライブ３に出力し、記憶させる（ステップＳ３）。
【００２５】
その後、カード作成指示装置４の判定装置４２は、ハードディスクドライブ３内に記憶された文字データを基にして、当該文字データの免許書番号に合致する申請者の個人情報をホストサーバ６から読み出し（ステップＳ４）、カード作成タイミングが即日（即日発行）であるか否か（後日発行）を判定する（ステップＳ５）。
【００２６】
判定装置４２による判定が完了すると、管理装置４５は、判定装置４２の判定内容と画像データとを対応付けて管理する。そして、管理装置４５は、操作部４１を制御して、判定内容が即日発行（ステップＳ５；ＹＥＳ）となった画像データの免許証番号のみを表示部５０の免番リスト欄５１に表示させる（ステップＳ７）とともに、ＭＯドライブ４４を制御して、判定内容が後日発行（ステップＳ５；ＮＯ）となった画像データ及びその免許書番号を対応付けてＭＯディスク４３に記憶させる（ステップＳ６）。
【００２７】
オペレータが、撮影装置２により順次各申請者の撮影を行っていくことで上記工程が繰り返されて、各申請者の画像データ及び文字データが対応付けられてハードディスクドライブ３に記憶されるとともに、画像データに対する判定内容も対応付けられて管理されることになる。そして、操作部４１の免番リスト欄５１には判定内容が即日発行となった免許書番号が一覧で表示されているので、オペレータはその全ての申請者のＩＤカードを一括で作成する場合には一括作成ボタン５３をタッチし、選択された１件のみのＩＤカードを作成する場合には１件作成ボタン５４をタッチする（ステップＳ８）。
【００２８】
一括作成ボタン５３若しくは１件作成ボタン５４がタッチされると、操作部４１は、カード作成装置５に対してカード作成指示を出力する（ステップＳ９）。カード作成装置５は、カード作成指示が入力されると、カード作成を行う申請者の画像データ及び文字データをハードディスクドライブ３から読み出すとともに、当該文字データに基づく個人情報をホストサーバ６から読み出す。カード作成装置５はこれらの画像データ及び個人情報によりＩＤカードを作成する（ステップＳ１０）。
【００２９】
カード作成後においては、カード作成装置５は、カード作成済みである旨を管理装置４５に出力する。管理装置４５は、カード作成済みである旨と画像データとをファイルサーバ８に送信して記憶させるとともに、カード作成済みとなった画像データ及び文字データをハードディスクドライブ３から消去する。ここで、カード作成済みである旨の判断が、実際にＩＤカードが作成されたことを判断基準として行っているので、ジャム等の不具合によりＩＤカードが作られなかったにも関わらず画像データ及び文字データが消去されることが防止される。なお、これ以外にも例えばカード作成装置５に画像データ及び文字データを出力したことを判断基準としてもよい。
【００３０】
一方、後日発行と判定されて、ＭＯディスク４３に記憶された画像データ及び文字データは、申請者が違反者講習を受講した後に用いられる。具体的に説明すると、ＭＯディスク４３が所定人数分の画像データ及び文字データを記憶すると、オペレータは、当該ＭＯディスク４３をＭＯドライブ４４から取り出して、後日発行用のカード作成装置が設置されたカード発行所（例えば違反者講習所等）に送る。カード発行所では、各申請者の違反者講習の受講済みが確認された後に、所内のカード作成装置でＭＯディスク４３を読み取って、読み取られた画像データ及び文字データに基づくＩＤカード作成を行う。
【００３１】
以上のように、本実施形態によれば、判定装置４２による判定内容及び画像データが対応付けて管理されているので、管理装置４５は画像データに対応付けられた判定内容を読み出すことで、当該画像データに基づくカード作成タイミングを認識することができる。これにより、即日発行及び後日発行の申請者が混在していたとしても、管理装置４５によって自動的に各申請者に適したカード作成タイミングを割り当てることが可能となって、オペレータの負担を軽減することができる。
【００３２】
また、管理装置４５が判定内容に基づいてカード作成装置５を制御することで、カード作成タイミングが即日と判定された画像データに基づくＩＤカードのみを作成させているので、カード作成タイミングに応じてＩＤカードを作成することができる。
【００３３】
さらに、管理装置４５が判定内容に基づいてＭＯドライブ４４を制御することで、カード作成タイミングが即日と判定されていない画像データのみＭＯディスク４３に記憶させるので、後日発行の画像データのみをＭＯディスク４３に記憶して搬送可能とすることができる。
【００３４】
そして、スキャナ２１に入力された文字データを基に、判定装置４２がホストサーバ６に記憶される個人情報を読み出して、カード作成タイミングを判定するので、個人情報に基づいて自動的にカード作成タイミングが判定されることになる。すなわち、オペレータがカード作成タイミングを入力しなくとも判定が行われるので、オペレータに対する負担をより軽減することができる。
【００３５】
なお、本発明は上記実施の形態に限らず適宜変更可能であるのは勿論である。
例えば、本実施形態では可般型の記憶媒体としてＭＯディスク４３を例示したが、可般型の記憶媒体としてはこれに限定されるものでなく、ＣＤ−ＲやＤＶＤ、各種メモリ（ＵＳＢメモリ、ＳＤカード、ＰＣカード等）が挙げられる。さらに、可般型用記憶装置としても、各可般型の記憶媒体に対応するドライブが用いられることになる。
また、本実施形態では、スキャナ２１とＯＣＲにより免許書番号が入力される場合について説明したが、免許書番号はオペレータによる手入力であっても構わない。この場合、操作部４１の表示部５０に番号入力用の番号キーを配列することが好ましい。
【００３６】
そして、本実施形態では、判定装置４２がホストサーバ６内の個人情報を基にして、カード作成タイミングが即日であるか否かを判定している場合を例示して説明しているが、オペレータがカード作成タイミングを手入力したり、申請書等に記載された情報をスキャナ２１で読み取って当該情報を基にカード作成タイミングを判定したりしてもよい。
【００３７】
さらに、判定時期は撮影中、撮影前、撮影後、ＭＯディスク４３への記録前、記録中、記録後のいずれかでもよい。ここで、記録中や記録後に判定する場合においては判定装置４２は全ての画像データをＭＯディスク４３に記憶させた後に、即日発行の画像データのみをＭＯディスク４３から削除したり、カード作成タイミングが分かるリストを追加してＭＯディスク４３に記憶させたりすることが好ましい。カード作成タイミングが分かるリストを追加した場合には、当該リストと、ＭＯディスク４３内の画像データとを対応させることで、後日発行のＩＤカードが作成されることになる。
【００３８】
また、ＭＯディスク４３に全ての画像データを記憶させる場合においては、管理装置４５が各画像データに対応する判定内容をホストサーバ６に記憶させてもよい。こうしておくと、他のカード作成装置でＩＤカードを作成する際に、ホストサーバ６内の判定内容と、ＭＯディスク４３内の画像データと対応付けて読み出すことができるために、判定内容が後日発行となっている画像データのみを読み出してＩＤカードを作成することも可能となる。
【００３９】
そして、本実施形態では、撮影装置２と、カード作成指示装置４とが別体である場合を例示して説明したが、図３に示すカード作成システム１Ａのように、撮影装置２Ａに、操作部４１、判定装置４２、ＭＯドライブ４４、管理装置４５が搭載される構成であっても構わない。
【図面の簡単な説明】
【００４０】
【図１】本実施形態のＩＤカード作成システムの概略構成を表すブロック図である。
【図２】図１のＩＤカード作成システムに備わる操作部の表示例を表す説明図である。
【図３】図１のＩＤカード作成システムの変形例を表すブロック図である。
【図４】本実施形態のＩＤカード作成システムでの動作を表すフローチャートである。
【符号の説明】
【００４１】
１  カード作成システム
２  撮影装置
３  ハードディスクドライブ
４  カード作成指示装置
５  カード作成装置
６  ホストサーバ
７  チェックコード作成装置
８  ファイルサーバ
２１  スキャナ
２２  撮影機
４１  操作部
４２  判定装置
４３  ＭＯディスク
４４  ＭＯドライブ
４５  管理装置
Ｎ  通信回線
【図１】
2007076159.tif 000003
【図２】
2007076159.tif 000004
【図３】
2007076159.tif 000005
【図４】
2007076159.tif 000006